(57)【要約】【課題】眼鏡調整に際し、眼鏡枠に対する視線の方向を決定する方法および決定器具を提供する。【解決手段】中心表示およびそれを通る基準直線表示を有し、少なくとも前記基準直線表示を含む帯板状領域が透明とされた板を使用し、前記基準直線表示と一致または平行するような光線を投射できるように、前記板にレーザー発光手段を取り付ける。任意の眼鏡枠を装用させ、前記板をその端面が該眼鏡枠の側面に接近しほぼ平行の状態で保持し、前記中心表示を装用者の瞳孔の先端に一致させ、かつ、患者の常用視線の到達先にレーザー像を一致する姿勢に前記板を保持し、そのときの前記基準直線表示に対する前記眼鏡枠の腕のなす角度θ１、または前枠に対する角度θ２を求める。【選択図】        図１
2005010415.tif 000002
【特許請求の範囲】
【請求項１】
中心表示およびそれを通る基準直線表示を有し、少なくとも前記基準直線表示を含む帯板状領域が透明とされた板を使用し、前記基準直線表示と一致または平行するような光線を投射できるように、前記板にレーザー発光手段を取り付け、
任意の眼鏡枠を装用させ、前記板をその端面が該眼鏡枠の側面に接近しほぼ平行の状態で保持し、前記中心表示を装用者の瞳孔の先端に一致させ、かつ、患者の常用視線の到達先にレーザー像を一致する姿勢に前記板を保持し、そのときの前記基準直線表示に対する前記眼鏡枠の腕のなす角度θ１、または前枠に対する角度θ２を求めることを特徴とする眼鏡枠に対する視線方向の決定方法。
【請求項２】
中心表示およびそれを通る基準直線表示を有し、少なくとも前記基準直線表示を含む帯板状領域が透明とされた板と、前記基準直線表示と一致または平行するような光線を投射できるように、前記板に取り付けられたレーザー発光手段とを含むことを特徴とする眼鏡枠に対する視線方向の決定器具。
【請求項３】
中心表示およびそれを通る第１基準直線表示を有し、少なくとも前記第１基準直線表示を含む帯板状領域が透明とされた基板と、
該基板の中心表示に同心に回転自在に保持され、前記第１基準直線表示と一致する第２基準直線表示を有し、該第２基準直線表示を含む帯板状領域が透明とされた回転円板と、
前記基板および前記回転円板に設けられた相対回転量を計る回転角度計測手段と、
前記回転円板の第２基準直線表示の他端側に取り付けられレーザー発光手段と、を含むことを特徴とする眼鏡枠に対する視線方向の決定器具。
【請求項４】
外周縁付近に円弧目盛りを有し、円弧目盛りの円中心を示す中心表示およびそれを通る第１基準直線表示を有し、少なくとも前記第１基準直線表示を含む帯板状領域が透明とされた基板と、
該基板の円中心に同心に回転自在に装着され、前記第１基準直線表示と一致する第２基準直線表示を有し、該第２基準直線表示を含む帯板状領域が透明とされた回転円板と、
前記第２基準直線表示の一端に設けられ、前記円弧目盛りに対応した指針表示と、
前記第２基準直線表示の他端側に取り付けられレーザー発光手段と、
を含むことを特徴とする眼鏡枠に対する視線方向の決定器具。
【請求項５】
円中心回りに回転自在に保持され、前記円中心を示す中心表示およびそれを通る第２基準直線表示を有し、該第２基準直線表示を含む帯板状領域が透明とされ、外周縁付近に円弧目盛りを有した回転円板と、
該回転円板を円中心回りに回転自在に保持し、前記円中心に一致する中心表示およびそれを通る第１基準直線表示を有し、少なくとも前記第１基準直線表示を含む帯板状領域が透明とされた基板と、
前記基板の第１基準直線表示の一端に設けられ、前記回転円板の円弧目盛りに対応した指針表示と、
前記回転円板の第２基準直線表示の他端側に取り付けられレーザー発光手段と、を含むことを特徴とする眼鏡枠に対する視線方向の決定器具。
【請求項６】
レーザー発光手段のケース前面に円柱レンズまたは半円柱レンズが取り付けられたことを特徴とする請求項２または３または４または５記載の眼鏡枠に対する視線方向の決定器具。
【請求項７】
前記円柱レンズまたは半円柱レンズは、レーザー発光手段のケース前面に回転可能に取り付けられ、常用視線上の任意の固視点に、常用視線に垂直な任意の方向に線の描出を可能としたことを特徴とする請求項６記載の眼鏡枠に対する視線方向の決定器具。
【請求項８】
レーザー発光手段のケース前面に任意の模様，文字などを描いたフィルターが取り付けられ、常用視線上の任意の固視点に、その任意の模様，文字などの描出を可能としたことを特徴とする請求項２または３または４または５記載の眼鏡枠に対する視線方向の決定器具。
【発明の詳細な説明】
【０００１】
【発明の属する技術分野】本発明は、眼鏡枠に対する視線方向の決定方法および決定器具に関する。
【０００２】
【従来の技術】従来の技術は２つに大別される。その１は、眼鏡枠の玉型を頭部前額面もしくは顔面に対して５〜１５度傾け、瞳孔の位置を玉型の垂直中点から１〜数ｍｍ上に採るなどとされている。
【０００３】
その２は、眼鏡レンズが球面単焦点からなる場合にかぎり、玉型垂直直径中点に光軸をおけば、設計条件のうち、レンズ光軸が眼球回旋点を通過する条件を満足させることはできる。
【０００４】
【発明が解決しようとする課題】しかしながら従来技術１では、如何なる場合に５度であるのかなどの数値を特定する判断基準がなく、また装用者の顎を引く姿勢や顎を上げる姿勢などの習性も全く考慮されず、眼鏡レンズの設計条件に沿った調整は、実際には行われていなかった。
【０００５】
また従来技術２では、レンズ光軸を常用視線（装用者が日常の姿勢で頻繁に、又は最も重点的もしくは合目的的に外界を見る視線）に一致させることはできなかった。しかも、眼鏡レンズが球面単焦点でない場合、さらには、常用視線と任意の設計指定の角度を持たせた場合などは、眼鏡レンズの設計条件を満足させる眼鏡調整に対し、全く科学的根拠を持つ対応方法がなく、眼鏡技術者の感に頼るのみであった。
【０００６】
本発明は上記課題を解決し、眼鏡調整に際し、眼鏡枠に対する視線の方向を決定する方法および決定器具を提供することを目的とする。
【０００７】
【課題を解決するための手段】上記課題を解決するため、本発明は次のとおりとする。本発明の第１態様である視線方向の決定方法は、中心表示およびそれを通る基準直線表示を有し、少なくとも前記基準直線表示を含む帯板状領域が透明とされた板を使用し、前記基準直線表示と一致または平行するような光線を投射できるように、前記板にレーザー発光手段を取り付け、任意の眼鏡枠を装用させ、前記板をその端面が該眼鏡枠の側面に接近しほぼ平行の状態で保持し、前記中心表示を装用者の瞳孔の先端に一致させ、かつ、患者の常用視線の到達先にレーザー像を一致する姿勢に前記板を保持し、そのときの前記基準直線表示に対する前記眼鏡枠の腕のなす角度θ１、または前枠に対する角度θ２を求めることを特徴としている。
【０００８】
本発明の第２態様である視線方向の決定器具は、中心表示およびそれを通る基準直線表示を有し、少なくとも前記基準直線表示を含む帯板状領域が透明とされた板と、前記基準直線表示と一致または平行するような光線を投射できるように、前記板に取り付けられたレーザー発光手段とを含むことを特徴としている。
【０００９】
本発明の第３態様である視線方向の決定器具は、中心表示およびそれを通る第１基準直線表示を有し、少なくとも前記第１基準直線表示を含む帯板状領域が透明とされた基板と、該基板の中心表示に同心に回転自在に保持され、前記第１基準直線表示と一致する第２基準直線表示を有し、該第２基準直線表示を含む帯板状領域が透明とされた回転円板と、前記基板および前記回転円板に設けられた相対回転量を計る回転角度計測手段と、前記回転円板の第２基準直線表示の他端側に取り付けられレーザー発光手段とを含むことを特徴としている。
【００１０】
本発明の第４態様である視線方向の決定器具は、外周縁付近に円弧目盛りを有し、円弧目盛りの円中心を示す中心表示およびそれを通る第１基準直線表示を有し、少なくとも前記第１基準直線表示を含む帯板状領域が透明とされた基板と、該基板の円中心に同心に回転自在に装着され、前記第１基準直線表示と一致する第２基準直線表示を有し、該第２基準直線表示を含む帯板状領域が透明とされた回転円板と、前記第２基準直線表示の一端に設けられ、前記円弧目盛りに対応した指針表示と、前記第２基準直線表示の他端側に取り付けられレーザー発光手段とを含むことを特徴としている。
【００１１】
本発明の第５態様である視線方向の決定器具は、円中心回りに回転自在に保持され、前記円中心を示す中心表示およびそれを通る第２基準直線表示を有し、該第２基準直線表示を含む帯板状領域が透明とされ、外周縁付近に円弧目盛りを有した回転円板と、該回転円板を円中心回りに回転自在に保持し、前記円中心に一致する中心表示およびそれを通る第１基準直線表示を有し、少なくとも前記第１基準直線表示を含む帯板状領域が透明とされた基板と、前記基板の第１基準直線表示の一端に設けられ、前記回転円板の円弧目盛りに対応した指針表示と、前記回転円板の第２基準直線表示の他端側に取り付けられレーザー発光手段とを含むことを特徴としている。
【００１２】
本発明の第６態様である視線方向の決定器具は、第２または第３または第４または第５態様に加え、レーザー発光手段のケース前面に円柱レンズまたは半円柱レンズが取り付けられたことを特徴としている。
【００１３】
本発明の第７態様である視線方向の決定器具は、第６態様に加え、前記円柱レンズまたは半円柱レンズは、レーザー発光手段のケース前面に回転可能に取り付けられ、常用視線上の任意の固視点に、常用視線に垂直な任意の方向に線の描出を可能としたことを特徴としている。
【００１４】
本発明の第８態様である視線方向の決定器具は、第２または第３または第４または第５態様に加え、レーザー発光手段のケース前面に任意の模様，文字などを描いたフィルターが取り付けられ、常用視線上の任意の固視点に、その任意の模様，文字などの描出を可能としたことを特徴としている。
【００１５】
【発明の実施の形態】以下に本発明の実施態様を図面に示す一実施例にもとづき説明する。今、本発明の眼鏡調整における眼鏡枠に対する視線の方向を決定する方法が実施される前に、眼科医が患者（屈折異常者）の目の屈折検査を行い、処方箋を発行する。そして、眼鏡技術者がこの処方箋に基づいて、レンズを選択し、眼鏡枠を選択する。玉型を前枠に嵌め、この眼鏡枠を腕，鼻当てなどを調整して快適な状況で患者に装用させる。このとき、従来の方法で、顔の前額面と前枠との傾きを、５〜１５度傾け、頂間距離（通常１２ｍｍ）を決め、瞳孔の位置を玉型の垂直中点から１〜数ｍｍ上に採る。
【００１６】
そして、次に本発明により眼鏡枠に対する視線の方向を決定するのであるが、このとき、図１，２，３に示す眼鏡枠に対する視線決定器具Ａを使用する。そして、眼鏡枠の側面に接近させて、その端面をほぼ平行の状態で保持するのである。先ず、この器具を説明する。
【００１７】
図１，２，３の器具Ａにおいて、透明プラスチックからなる基板１は、円環部１ａと、その直径上で該直径に平行な端面１ｆをもつ帯板部１ｂとからなる。そして、円環部の外周縁付近には角度円弧目盛り１ｃが設けられ、帯板部には、円弧目盛りの円中心（基板円環部１ａの円中心と一致）を示す中心表示１ｄおよびそれを通る第１基準直線表示１ｅを有する。この第１基準直線表示１ｅの通過する点が原点０度、そこから左回りにプラス、右回りにマイナスの数値が、角度円弧目盛り１ｃとして表示されている。そして、帯板部１ｂの端面１ｆは第１基準直線表示１ｅに平行である。
【００１８】
透明プラスチックからなる円形の回転板２は、基板の円中心（中心表示１ｄ）に同心に回転ガイド３を介して回転自在に装着される。そして、前記基板の円中心（中心表示１ｄ）に一致する中心表示２ａ、および前記基板の第１基準直線表示１ｅと一致する第２基準直線表示２ｂを有する。中心表示１ｄ，２ａを装用者の瞳孔先端に一致させるとき、見やすいように拡大レンズ５が回転板２の中心に設けられる。
【００１９】
前記第２基準直線表示の一端には、前記円弧目盛り１ｃに対応した指針表示２ｄを有する。他端側にはレーザー発光手段４が取り付けられ、その光線が第２基準直線表示２ｂの延長線に一致する方向に投射できるようにされている。
【００２０】
前記レーザー発光手段４は公知の市販されているものであり、円筒ケース４ａ内に発光ダイオード４ｂが収納され、円筒ケースの前端面には光通孔をもつキャップ４ｃが取り付けられる。ケースの後端から導出された電線４ｄがスイッチ付電源ボックス４ｅ（回転板に取り付けられた）に接続される。
【００２１】
次にこの器具Ａを使って、眼鏡枠に対する視線の方向を決定する方法を説明する。装用者は、最も楽な姿勢（遠用及び常用は数メートル先の外界を見る。近用は書物，書類などを読む状態）を取る。
【００２２】
図４において、眼鏡枠Ｍの側面を透明板を通して見ながら、器具Ａを側面に接近させ、その端面をほぼ平行の状態で保持する。第１基準直線表示１ｅを腕Ｍ２の長さ方向中心線に平行にする。このとき、第１基準直線表示１ｅに平行な帯板部１ｂの端面１ｆが利用できる。
【００２３】
次に、中心表示１ｄを装用者の瞳孔先端に一致させる。そして、回転円板２を回し、患者が書面の見ている箇所（位置）にレーザー像を一致させる。このとき、常用視線とレーザー光線および第２直線表示２ｂが一致したことになる。そして、そのときの第１，第２直線表示１ｅ，２ｂのなす角度θ１を円弧目盛り１ｃから読み取る。この角度θ１は腕長さ方向に対する常用視線のなす角となる。
【００２４】
ここで、図５において、眼鏡枠の前枠Ｍ１，眼鏡枠の腕Ｍ２，常用視線Ｌ０で特定される三角形において、眼鏡枠の前枠と眼鏡枠の腕のなす角θ０，眼鏡枠の腕と常用視線のなす角をθ１（前記器具Ａで測定した値），常用視線と眼鏡枠の前枠のなす角をθ２とすると、θ２＝１８０度−（θ０＋θ１）から求められる。
【００２５】
次に、この視線方向を使って、前枠の玉型上のレンズ光軸の位置ｙを決定する方法の一例を説明する。図６に示したｘ，ｙ，ｚの３軸からなる右手直交座標系において、眼鏡枠の前枠をｙｚ平面に、眼鏡枠の前枠，眼鏡枠の腕，常用視線で特定される三角形をｘｙ平面におく。同時に、この三角形と同一平面で規定される眼鏡レンズ前面または後面の球面の中心を、このｘｙ平面におく。これを基本的なレンズ球面とする。一方、レンズ曲面が非球面や複数の曲面を持つ場合、レンズ曲面が円錐曲面その他数式で表現できる曲面は、球面中心に相当する点のｘｙ平面の成分でもって中心とする。多焦点レンズで複数の曲面を採用する場合は、その基準となる曲面の中心のｘｙ平面の成分でもって中心とする。そして、前記基本的なレンズ曲面との関係は、個々の設計レンズにおいて、関係式において、その関係を表す。
【００２６】
ｘｙ平面（ｘ軸，ｙ軸の座標原点Ｏ）におかれた基本的なレンズ球面は半径ｒで、その中心をｘ軸上の点Ｓ（ｘ０，ｙ０）におく。円がｙ軸を切る点（ｘ１，ｙ１），（ｘ２，ｙ２）とすれば、（ｘ１，ｙ１）は前枠上縁の座標に、（ｘ２，ｙ２）は前枠下縁の座標に相当する。（ｘ１，ｙ１），（ｘ２，ｙ２）の中点をｙ軸におく。（ｘ１，ｙ１），（ｘ２，ｙ２）間の直線は、半径ｒの円の弦の長さを表し、前枠上縁と前枠下縁の間の距離（玉型垂直径）Ｐに相当する。常用視線がレンズ光軸に一致する条件から、（ｘ１，ｙ１），（ｘ２，ｙ２）を結ぶ直線とθ２の角度をなし、かつ、円中心を通る直線が、常用視線であると同時にレンズ光軸となる。この直線がｙ軸を切る点Ｔが前枠の玉型上のレンズ光軸の位置ｙである。
【００２７】
この光軸の位置ｙを計算で求める場合は次の数式１のようになる。
これをコンピュータで計算させる場合のフローチャートを図１１に示す。
【００２８】
【数１】
2005010415.tif 000003
【００２９】
このように、図６で形成される直角三角形ＯＳＴを利用して、辺ＯＳの長さは√｛ｒ２−（Ｐ／２）２｝となり、これに角ＯＳＴの正接（ｔａｎ）を掛ければ、上記のレンズ光軸位置ｙの式となる。
【００３０】
前枠の玉型上の当該垂直径の中点を調整時の原点とする。θ２が９０度の場合、レンズ光軸の位置は原点にくる。
【００３１】
また、前記光軸の位置ｙを作図で求める場合は、次のようになる。前記図６に示した図を方眼紙上に、その目盛線をｘ軸ｙ軸に一致させて描き、ｙの位置をこの方眼紙上の目盛りで読み取る。あるいは、別のスケールで計測する。
【００３２】
次に近用レンズを決定するときも、前記遠用の場合と同様に実施される。このとき、レーザー光線が対象面（書面）上で、点ではなく、直線状に投射すれば、書面の文章行に合わせれば、見やすくなる。そのため、図７のように、レーザー発光手段４のケース前面に円柱レンズ６が接着剤で取り付けられる。円柱レンズに替えて、半円柱レンズが取り付けられても良い。
【００３３】
図８において、レーザー発光手段４のケース４ａの前面にキャップ４ｃが、ネジで回転可能に取り付けられ、このキャップの前面に前記円柱レンズまたは半円柱レンズが取り付けられている。これにより、常用視線上の任意の固視点に、常用視線に垂直な任意の方向に線の描出が可能となる。
【００３４】
図９において、レーザー発光手段４のケース４ａの前面に任意の模様，文字などを描いたフィルター７が取り付けられている。これにより、常用視線上の任意の固視点に、その任意の模様，文字などの描出を可能となる。
【００３５】
図１０に示すように、本発明は次のような実施態様も含む。この視線方向の決定器具Ａ１は、中心表示２ａおよびそれを通る基準直線表示２ｂを有し、少なくとも前記基準直線表示を含む帯板状領域が透明とされた板２１と、前記基準直線表示と一致または平行するような光線を投射できるように、前記板に取り付けられたレーザー発光手段４とを含むものである。
【００３６】
そして、任意の眼鏡枠Ｍを装用させ、前記板２１をその端面が該眼鏡枠Ｍの側面に接近しほぼ平行の状態で保持し、前記中心表示２ａを装用者の瞳孔の先端に一致させ、かつ、患者の常用視線の到達先にレーザー像を一致する姿勢に前記板を保持する。そして、そのときの前記基準直線表示２ｂに対する前記眼鏡枠の腕Ｍ２のなす角度θ１、または前枠Ｍ１に対する角度θ２を求めるのである。
【００３７】
このようにして、屈折異常矯正用眼鏡、老視用眼鏡のあらゆる眼鏡レンズの、設計条件通りの眼鏡装用が可能となった。
【００３８】
本発明は前記した実施例や実施態様に限定されず、特許請求の精神および範囲を逸脱せずに種々の変形を含む。
【００３９】
【発明の効果】本発明により、眼鏡調整に際し、眼鏡枠に対する視線の方向を決定することが可能となった。
【図面の簡単な説明】
【図１】本発明の一実施例に係わる視線決定器具の正面図である。
【図２】図１の右側面図である。
【図３】図１のＹ３−Ｙ３断面図である。
【図４】視線決定器具の使用状態説明図である。
【図５】眼鏡枠と常用視線で特定される三角形の説明図である。
【図６】球面レンズカーブ図である。
【図７】レーザー発光手段の他の例の斜視図である。
【図８】レーザー発光手段の他の実施例の軸断面図である。
【図９】レーザー発光手段の更に他の実施例の軸断面図である。
【図１０】視線決定器具の他の実施例の正面図である。
【図１１】光軸位置のコンピュータによる計算フローチャート図である。
【符号の説明】
Ａ  視線決定器具
Ｍ  眼鏡枠
Ｍ１  前枠
Ｍ２  腕
１  基板
１ａ  円環部
１ｂ  帯板部
１ｃ  円弧目盛り
１ｄ  中心表示
１ｅ  第１基準直線表示
１ｆ  端面
２  回転板
２ａ  中心表示
２ｂ  第２基準直線表示
３  回転ガイド
４  レーザー発光手段
４ａ  円筒ケース
４ｂ  発光ダイオード
４ｃ  キャップ
４ｄ  電線
４ｅ  電源ボックス
５  拡大レンズ
６  円柱レンズ
７  フィルター
【図１】
2005010415.tif 000004
【図２】
2005010415.tif 000005
【図３】
2005010415.tif 000006
【図４】
2005010415.tif 000007
【図５】
2005010415.tif 000008
【図６】
2005010415.tif 000009
【図７】
2005010415.tif 000010
【図８】
2005010415.tif 000011
【図９】
2005010415.tif 000012
【図１０】
2005010415.tif 000013
【図１１】
2005010415.tif 000014